(57)【要約】【課題】消費電力量を低減しつつ利用者にとって快適な居住空間を実現できる空気調和機管理装置、空気調和システム、空気調和機管理方法およびプログラムを提供する。【解決手段】空気調和機管理装置１は、空気調和機が設置された施設における消費電力量を示す消費電力情報を取得する電力取得部１１１と、消費電力情報が示す消費電力量に基づいて、空気調和機での消費電力を抑制する必要がある予め設定された消費電力抑制条件が満たされているか否かを判定する判定部１１４と、判定部１１４により消費電力抑制条件が満たされていると判定されると、空気調和機について設定可能な設定温度の可変範囲を、予め設定された初期可変範囲よりも狭い可変範囲に設定する可変範囲設定部１１７と、を備える。【選択図】図４
2020197337.tif 000002
【特許請求の範囲】
【請求項１】
少なくとも１つの空気調和機が設置された電力消費地における消費電力量を示す消費電力情報を取得する電力取得部と、
前記消費電力情報が示す消費電力量に基づいて、前記少なくとも１つの空気調和機での消費電力を抑制する必要がある予め設定された消費電力抑制条件が満たされているか否かを判定する判定部と、
前記判定部により前記消費電力抑制条件が満たされていると判定されると、前記少なくとも１つの空気調和機について設定可能な設定温度の可変範囲を、予め設定された第１可変範囲よりも狭い第２可変範囲に設定する可変範囲設定部と、を備える、
空気調和機管理装置。
【請求項２】
前記少なくとも１つの空気調和機が設置された区域の第１温度を示す温度情報を取得する温度取得部を更に備え、
前記可変範囲設定部は、前記第１温度が前記第１可変範囲に含まれる場合、前記設定温度の可変範囲を、前記第１温度を含む第２可変範囲に設定する、
請求項１に記載の空気調和機管理装置。
【請求項３】
前記可変範囲設定部は、前記第１温度が前記第１可変範囲に含まれない場合、前記設定温度の可変範囲を、前記第１可変範囲における前記第１温度に最も近い第２温度を含む第２可変範囲に設定する、
請求項２に記載の空気調和機管理装置。
【請求項４】
前記可変範囲設定部は、前記設定温度の可変範囲を、前記第２可変範囲に設定した後、前記判定部により、前記消費電力抑制条件を満たしていないと判定されると、前記設定温度の可変範囲を、前記第２可変範囲から前記第１可変範囲に変更する、
請求項１から３のいずれか１項に記載の空気調和機管理装置。
【請求項５】
複数種類の前記第１可変範囲を示す第１可変範囲情報を、サービスランクに対応づけて記憶する第１可変範囲記憶部と、
前記少なくとも１つの空気調和機に対応づけられたサービスランクを示すサービスランク情報を取得するサービスランク取得部と、を更に備え、
前記可変範囲設定部は、前記第１可変範囲記憶部が記憶する第１可変範囲情報の中から、前記サービスランク情報が示すサービスランクに対応する第１可変範囲情報を取得し、前記設定温度の可変範囲を、取得した第１可変範囲情報が示す第１可変範囲に設定する、
請求項１から４のいずれか１項に記載の空気調和機管理装置。
【請求項６】
前記消費電力情報が示す消費電力量に基づいて、前記消費電力抑制条件を満たしているか否かを判定する対象となる対象期間における累積消費電力量を算出する累積消費電力量算出部を更に備え、
前記判定部は、前記累積消費電力量が予め設定された許容累積消費電力量を超えた場合、前記消費電力抑制条件を満たしていると判定する、
請求項１から５のいずれか１項に記載の空気調和機管理装置。
【請求項７】
前記累積消費電力量が前記許容累積消費電力量を超えた場合、前記累積消費電力量の前記許容累積消費電力量からの超過分に相当する累積消費電力超過量を算出し、算出した累積消費電力超過量に基づいて、前記第２可変範囲の温度幅を特定する温度幅特定部を更に備え、
前記可変範囲設定部は、前記少なくとも１つの空気調和機について設定可能な設定温度の可変範囲を、前記温度幅特定部により特定された温度幅を有する前記第２可変範囲に設定する、
請求項６に記載の空気調和機管理装置。
【請求項８】
操作機器から温度上昇指示情報を受信する毎に単位温度幅ずつ設定温度を上昇させ、前記操作機器から温度下降指示情報を受信する毎に前記単位温度幅ずつ設定温度を下降させる機能を有する、少なくとも１つの空気調和機が設置された電力消費地における消費電力量を示す消費電力情報を取得する電力取得部と、
前記消費電力情報が示す消費電力量に基づいて、前記少なくとも１つの空気調和機での消費電力を抑制する必要がある予め設定された消費電力抑制条件が満たされているか否かを判定する判定部と、
前記判定部により前記消費電力抑制条件が満たされていると判定されると、前記単位温度幅を、予め設定された第１単位温度幅よりも狭い第２単位温度幅に設定する単位温度幅設定部と、を備える、
空気調和機管理装置。
【請求項９】
前記単位温度幅設定部は、前記単位温度幅を、前記第２単位温度幅に設定した後、前記判定部により、前記消費電力抑制条件を満たしていないと判定されると、前記単位温度幅を、前記第２単位温度幅から前記第１単位温度幅に変更する、
請求項８に記載の空気調和機管理装置。
【請求項１０】
複数種類の前記第１単位温度幅を示す第１単位温度幅情報を、サービスランクに対応づけて記憶する第１単位温度幅記憶部と、
前記少なくとも１つの空気調和機に対応づけられたサービスランクを示すサービスランク情報を取得するサービスランク取得部と、を更に備え、
前記単位温度幅設定部は、前記第１単位温度幅記憶部が記憶する第１単位温度幅情報の中から、前記サービスランク情報が示すサービスランクに対応する第１単位温度幅情報を取得し、前記単位温度幅を、取得した第１単位温度幅情報が示す第１単位温度幅に設定する、
請求項８または９に記載の空気調和機管理装置。
【請求項１１】
前記消費電力情報が示す消費電力量に基づいて、前記消費電力抑制条件を満たしているか否かを判定する対象となる対象期間における累積消費電力量を算出する累積消費電力量算出部を更に備え、
前記判定部は、前記累積消費電力量が予め設定された許容累積消費電力量を超えた場合、前記消費電力抑制条件を満たしていると判定する、
請求項８から１０のいずれか１項に記載の空気調和機管理装置。
【請求項１２】
前記単位温度幅設定部は、前記累積消費電力量が前記許容累積消費電力量を超えた場合、前記累積消費電力量の前記許容累積消費電力量からの超過分に相当する累積消費電力超過量を算出し、算出した累積消費電力超過量に基づいて、前記第２単位温度幅の大きさを決定する、
請求項１１に記載の空気調和機管理装置。
【請求項１３】
前記対象期間が属する月における１ヶ月当たりの目標累積消費電力量に基づいて、前記許容累積消費電力量を算出する許容累積消費電力量算出部を更に備える、
請求項６または１１に記載の空気調和機管理装置。
【請求項１４】
少なくとも１つの空気調和機と、
前記少なくとも１つの空気調和機が設置された電力消費地における消費電力量を示す消費電力情報を取得する電力取得部と、
前記消費電力情報が示す消費電力量に基づいて、前記少なくとも１つの空気調和機での消費電力を抑制する必要がある予め設定された消費電力抑制条件が満たされているか否かを判定する判定部と、
前記判定部により前記消費電力抑制条件が満たされていると判定されると、前記少なくとも１つの空気調和機について設定可能な設定温度の可変範囲を、予め設定された第１可変範囲よりも狭い第２可変範囲に設定する可変範囲設定部と、を備える、
空気調和システム。
【請求項１５】
表示部を有し、前記少なくとも１つの空気調和機を操作するための操作機器と、
前記設定温度の可変範囲を示す可変範囲情報を、前記操作機器へ送信する範囲情報送信部と、を更に備え、
前記操作機器は、前記可変範囲情報を受信すると、受信した可変範囲情報に対応する操作画像を前記表示部に表示させる表示制御部を更に有する、
請求項１４に記載の空気調和システム。
【請求項１６】
前記少なくとも１つの空気調和機に対応づけられたサービスランクを示すサービスランク情報を管理するサービスランク管理サーバと、
複数種類の前記第１可変範囲を示す第１可変範囲情報を、サービスランクに対応づけて記憶する第１可変範囲記憶部と、
前記サービスランク管理サーバから前記サービスランク情報を取得するサービスランク取得部と、を更に備え、
前記可変範囲設定部は、前記第１可変範囲記憶部が記憶する第１可変範囲情報の中から、前記サービスランク情報が示すサービスランクに対応する第１可変範囲情報を取得し、前記設定温度の可変範囲を、取得した第１可変範囲情報が示す第１可変範囲に設定する、
請求項１４または１５に記載の空気調和システム。
【請求項１７】
操作機器から温度上昇指示情報を受信する毎に単位温度幅ずつ設定温度を上昇させ、前記操作機器から温度下降指示情報を受信する毎に前記単位温度幅ずつ設定温度を下降させる機能を有する、少なくとも１つの空気調和機と、
前記少なくとも１つの空気調和機が設置された電力消費地における消費電力量を示す消費電力情報を取得する電力取得部と、
前記消費電力情報が示す消費電力量に基づいて、前記少なくとも１つの空気調和機での消費電力を抑制する必要がある予め設定された消費電力抑制条件が満たされているか否かを判定する判定部と、
前記判定部により前記消費電力抑制条件が満たされていると判定されると、前記単位温度幅を、予め設定された第１単位温度幅よりも狭い第２単位温度幅に設定する単位温度幅設定部と、を備える、
空気調和システム。
【請求項１８】
前記少なくとも１つの空気調和機に対応づけられたサービスランクを示すサービスランク情報を管理するサービスランク管理サーバと、
複数種類の前記第１単位温度幅を示す第１単位温度幅情報を、サービスランクに対応づけて記憶する第１単位温度幅記憶部と、
前記サービスランク管理サーバから前記サービスランク情報を取得するサービスランク取得部と、を更に備え、
前記単位温度幅設定部は、前記第１単位温度幅記憶部が記憶する第１単位温度幅情報の中から、前記サービスランク情報が示すサービスランクに対応する第１単位温度幅情報を取得し、前記単位温度幅を、取得した第１単位温度幅情報が示す第１単位温度幅に設定する、
請求項１７に記載の空気調和システム。
【請求項１９】
少なくとも１つの空気調和機が設置された電力消費地における消費電力量を示す消費電力情報を取得するステップと、
前記消費電力情報が示す消費電力量に基づいて、前記少なくとも１つの空気調和機での消費電力を抑制する必要がある予め設定された消費電力抑制条件が満たされているか否かを判定するステップと、
前記消費電力抑制条件が満たされていると判定されると、前記少なくとも１つの空気調和機について設定可能な設定温度の可変範囲を、予め設定された第１可変範囲よりも狭い第２可変範囲に設定するステップと、を含む、
空気調和機管理方法。
【請求項２０】
操作機器から温度上昇指示情報を受信する毎に単位温度幅ずつ設定温度を上昇させ、前記操作機器から温度下降指示情報を受信する毎に前記単位温度幅ずつ設定温度を下降させる機能を有する、少なくとも１つの空気調和機が設置された電力消費地における消費電力量を示す消費電力情報を取得するステップと、
前記消費電力情報が示す消費電力量に基づいて、前記少なくとも１つの空気調和機での消費電力を抑制する必要がある予め設定された消費電力抑制条件が満たされているか否かを判定するステップと、
前記消費電力抑制条件が満たされていると判定されると、前記単位温度幅を、予め設定された第１単位温度幅よりも狭い第２単位温度幅に設定するステップと、を含む、
空気調和機管理方法。
【請求項２１】
コンピュータを、
少なくとも１つの空気調和機が設置された電力消費地における消費電力量を示す消費電力情報を取得する電力取得部、
前記消費電力情報が示す消費電力量に基づいて、前記少なくとも１つの空気調和機での消費電力を抑制する必要がある予め設定された消費電力抑制条件が満たされているか否かを判定する判定部、
前記判定部により前記消費電力抑制条件が満たされていると判定されると、前記少なくとも１つの空気調和機について設定可能な設定温度の可変範囲を、予め設定された第１可変範囲よりも狭い第２可変範囲に設定する可変範囲設定部、
として機能させるためのプログラム。
【請求項２２】
コンピュータを、
操作機器から温度上昇指示情報を受信する毎に単位温度幅ずつ設定温度を上昇させ、前記操作機器から温度下降指示情報を受信する毎に前記単位温度幅ずつ設定温度を下降させる機能を有する、少なくとも１つの空気調和機が設置された電力消費地における消費電力量を示す消費電力情報を取得する電力取得部、
前記消費電力情報が示す消費電力量に基づいて、前記少なくとも１つの空気調和機での消費電力を抑制する必要がある予め設定された消費電力抑制条件が満たされているか否かを判定する判定部、
前記判定部により前記消費電力抑制条件が満たされていると判定されると、前記単位温度幅を、予め設定された第１単位温度幅よりも狭い第２単位温度幅に設定する単位温度幅設定部、
として機能させるためのプログラム。
【発明の詳細な説明】
【技術分野】
【０００１】
本発明は、空気調和機管理装置、空気調和システム、空気調和機管理方法およびプログラムに関する。
【背景技術】
【０００２】
近年、店舗、ホテル等の建屋に設置された複数の空気調和装置と、複数の空気調和機を集中制御するコントローラと、を備え、複数の空気調和機において消費される消費電力を低減することによりランニングコストが抑制された空気調和システムが提供されている。この種の空気調和システムとして、例えば、運転モードの変更権限があるユーザに対して運転モードの省エネルギモードへの移行または解除の操作を許容し、変更権限を有しないユーザに対しては運転モードを変更する操作を禁止することにより、省エネルギモードでの運転中における省エネルギモードを容易に解除されないようにすることで、消費電力の低減を図る空気調和システムが提案されている（例えば特許文献１参照）。
【先行技術文献】
【特許文献】
【０００３】
【特許文献１】特開２００６―１２５６９１号公報
【発明の概要】
【発明が解決しようとする課題】
【０００４】
ところで、この種の空気調和システムでは、空気調和システムが設置される建屋での消費電力量が予め設定された目標消費電力量以下に維持できる範囲内で、ユーザが居住空間の環境設定を自由に変更できるようにすることで、ユーザにとって快適な居住空間を実現することが要請されている。
【０００５】
本発明は上記事由に鑑みてなされたものであり、消費電力量を低減しつつ利用者にとって快適な居住空間を実現できる空気調和機管理装置、空気調和システム、空気調和機管理方法およびプログラムを提供することを目的とする。
【課題を解決するための手段】
【０００６】
上記目的を達成するため、本発明に係る制御装置は、
少なくとも１つの空気調和機が設置された電力消費地における消費電力量を示す消費電力情報を取得する電力取得部と、
前記消費電力情報が示す消費電力量に基づいて、前記少なくとも１つの空気調和機での消費電力を抑制する必要がある予め設定された消費電力抑制条件が満たされているか否かを判定する判定部と、
前記判定部により前記消費電力抑制条件が満たされていると判定されると、前記少なくとも１つの空気調和機について設定可能な設定温度の可変範囲を、予め設定された第１可変範囲よりも狭い第２可変範囲に設定する可変範囲設定部と、を備える。
【発明の効果】
【０００７】
本発明によれば、判定部が、少なくとも１つの空気調和機での消費電力を抑制する必要がある予め設定された消費電力抑制条件が満たされているか否かを判定し、可変範囲設定部が、判定部により消費電力抑制条件が満たされていると判定されると、少なくとも１つの空気調和機について設定可能な設定温度の可変範囲を、予め設定された第１可変範囲よりも狭い第２可変範囲に設定する。これにより、設定温度の可変範囲が第１可変範囲に設定されている場合、利用者は第１可変範囲で少なくとも１つの空気調和機の設定温度を変更することができ、消費電力抑制条件が満たされると、設定温度の可変範囲が第１可変範囲よりも狭い第２可変範囲に縮小されるので、設定温度の変動が抑制される分、少なくとも１つの空気調和機での消費電力が低減される。つまり、利用者による設定温度の可変の自由度をある程度維持しつつ、少なくとも１つの空気調和機での消費電力を低減することができる。従って、少なくとも１つの空気調和機が設置された電力消費地における消費電力量を低減しつつ、少なくとも１つの空気調和機が設置された区域において利用者にとって快適な居住空間を実現できる。
【図面の簡単な説明】
【０００８】
【図１】本発明の実施の形態１に係る空気調和機管理システムの概略構成図
【図２】実施の形態１に係る空気調和機および操作機器のブロック図
【図３】実施の形態１に係る操作機器の表示部に表示される操作画像の一例を示す図
【図４】実施の形態１に係る空気調和機管理装置のブロック図
【図５】（Ａ）は実施の形態１に係る消費電力記憶部が記憶する情報の一例を示す図、（Ｂ）は実施の形態１に係る可変範囲記憶部が記憶する情報の一例を示す図
【図６】実施の形態１に係る温度幅記憶部が記憶する情報の一例を示す図
【図７】実施の形態１に係る空気調和機管理装置が実行する空気調和機管理処理の流れの一例を示すフローチャート
【図８】実施の形態１に係る空気調和機管理装置の動作説明図
【図９】実施の形態１に係る操作機器の表示部に表示される操作画像の一例を示し、（Ａ）は初期状態を示す図、（Ｂ）は累積消費電力量が許容累積消費電力量を超えた場合を示す図
【図１０】本発明の実施の形態２に係る空気調和機および操作機器のブロック図
【図１１】実施の形態２に係る操作機器の表示部に表示される操作画像の一例を示す図
【図１２】実施の形態２に係る空気調和機管理装置のブロック図
【図１３】（Ａ）は実施の形態２に係る単位温度幅記憶部が記憶する情報の一例を示す図、（Ｂ）は実施の形態２に係る単位温度幅基準記憶部が記憶する情報の一例を示す図
【図１４】実施の形態２に係る空気調和機管理装置が実行する空気調和機管理処理の流れの一例を示すフローチャート
【図１５】本発明の実施の形態３に係る空気調和機管理システムの概略構成図
【図１６】実施の形態３に係る空気調和機管理装置のブロック図
【図１７】（Ａ）は実施の形態３に係る初期可変範囲記憶部が記憶する情報の一例を示す図、（Ｂ）は実施の形態３に係る可変範囲記憶部が記憶する情報の一例を示す図
【図１８】実施の形態３に係る空気調和機管理装置が実行する空気調和機管理処理の流れの一例を示すフローチャート
【図１９】変形例に係る空気調和機管理装置のブロック図
【図２０】変形例に係る空気調和機管理装置が実行する空気調和機管理処理の流れの一例を示すフローチャート
【図２１】（Ａ）は変形例に係る初期単位温度幅記憶部が記憶する情報の一例を示す図、（Ｂ）は変形例に係る単位温度幅記憶部が記憶する情報の一例を示す図
【図２２】変形例に係る操作機器の表示部に表示される操作画像であって、累積消費電力量が許容累積消費電力量を超えた場合を示す図
【発明を実施するための形態】
【０００９】
以下、本発明の各実施の形態に係る空気調和システムについて、図面を参照しながら説明する。
【００１０】
（実施の形態１）
本実施の形態に係る空気調和機管理装置は、少なくとも１つの空気調和機が設置された電力消費地における消費電力量の状況に応じて、少なくとも１つの空気調和機について、設定温度の可変範囲を変更する機能を有するものである。本実施の形態に係る空気調和機管理装置は、少なくとも１つの空気調和機が設置された電力消費地における消費電力量を示す消費電力情報を取得する電力取得部と、消費電力情報が示す消費電力量に基づいて、少なくとも１つの空気調和機での消費電力を抑制する必要がある予め設定された消費電力抑制条件が満たされているか否かを判定する判定部と、判定部により消費電力抑制条件が満たされていると判定されると、少なくとも１つの空気調和機について設定可能な設定温度の可変範囲を、予め設定された第１可変範囲よりも狭い第２可変範囲に設定する可変範囲設定部と、を備える。
【００１１】
本実施の形態に係る空気調和システムは、例えばオフィスビルのような少なくとも１つのフロアを有し、各フロアに少なくとも１つの部屋が配置された建屋に設置されるものであり、例えば図１に示すように、空気調和機管理装置１と、空気調和機２Ａ、２Ｂと、操作機器３Ａ、３Ｂと、電力計測装置４と、を備える。空気調和機管理装置１と空気調和機２Ａ、２Ｂと電力計測装置４とは、建屋内に敷設された局所ネットワークＬＮＷを介して通信可能に接続されている。局所ネットワークＬＮＷは、例えばイーサネット（登録商標）のような通信規格に適合した有線または無線のＬＡＮ（Local Area Network）である。
【００１２】
空気調和機２Ａ、２Ｂは、建屋内の２つの区域ＲＡ、ＲＢそれぞれに設置され、区域ＲＡ、ＲＢの空調を行う。空気調和機２Ａ、２Ｂは、例えば図２に示すように、圧縮機２２０と、送風ファン２３０と、区域ＲＡ、ＲＢの第１温度を計測する温度計測部２４０と、圧縮機２２０および送風ファン２３０の動作を制御する制御部２００と、を有する。温度計測部２４０は、温度センサを有し、温度センサにより検出される第１温度に対応する計測信号を生成して制御部２００へ出力する。制御部２００は、ＣＰＵ（Central Processing Unit）２０１と、主記憶部２０２と、補助記憶部２０３と、通信インタフェース２０４と、短距離通信インタフェース２０５と、駆動部２０６と、センサインタフェース２０７と、これらを互いに接続するバス２０９と、を備える。主記憶部２０２は、ＲＡＭ（Random Access Memory）のような揮発性メモリであり、ＣＰＵ２０１の作業領域として使用される。補助記憶部２０３は、半導体フラッシュメモリのような不揮発性メモリであり、ＣＰＵ２０１が各種処理を実行するためのプログラムを記憶する。通信インタフェース２０４は、例えば無線モジュール、有線通信インタフェースであり、局所ネットワークＬＮＷを介して空気調和機管理装置１と通信する。短距離通信インタフェース２０５は、例えばＢｌｕｅｔｏｏｔｈ（登録商標）のような短距離無線通信規格に適合した無線モジュールであり、操作機器３Ａ、３Ｂと通信可能である。駆動部２０６は、ＣＰＵ２０１から入力される制御情報に基づいて、圧縮機２２０および送風ファン２３０を駆動する。センサインタフェース２０７は、温度計測部２４０から入力される計測信号を計測情報に変換してＣＰＵ２０１へ出力する。
【００１３】
ＣＰＵ２０１は、補助記憶部２０３が記憶するプログラムを主記憶部２０２に読み出して実行することにより、制御情報生成部２１１、可変範囲送信部２１２、温度送信部２１３および取得部２１４として機能する。また、補助記憶部２０３は、空気調和機２Ａ、２Ｂの設定温度を示す設定温度情報を記憶する設定温度記憶部２３１と、空気調和機２Ａ、２Ｂが空調を行うときに設定できる温度の可変範囲を示す可変範囲情報を記憶する可変範囲記憶部２３２と、を有する。取得部２１４は、空気調和機管理装置１から送信される後述する可変範囲情報を取得し、取得した可変範囲情報を可変範囲記憶部２３２に記憶させる。また、取得部２１４は、操作機器３Ａ、３Ｂから送信された設定温度情報を取得すると、取得した設定温度情報を設定温度記憶部２３１に記憶させる。制御情報生成部２１１は、設定温度記憶部２３１が記憶する設定温度と温度計測部２４０により計測される温度とに基づいて、圧縮機２２０および送風ファン２３０を駆動するための制御情報を生成して駆動部２０６へ出力する。ここで、空気調和機２Ａ、２Ｂの設定温度と温度計測部２４０により計測される区域ＲＡ、ＲＢの温度との温度差が大きいほど、空気調和機２Ａ、２Ｂ、即ち、圧縮機２２０および送風ファン２３０で消費される消費電力が大きくなる傾向にある。可変範囲送信部２１２は、可変範囲記憶部２３２が記憶する可変範囲情報を操作機器３Ａ、３Ｂへ送信する。温度送信部２１３は、温度計測部２４０により計測される温度を示す温度情報を空気調和機管理装置１および操作機器３Ａ、３Ｂへ送信する。
【００１４】
図１に戻って、操作機器３Ａ、３Ｂは、例えば空気調和機２Ａ，２Ｂを操作するための専用のリモートコントローラまたはタブレット型の携帯端末装置であり、その操作対象である空気調和機２Ａ、２Ｂが設置された区域ＲＡ、ＲＢに配置されている。操作機器３Ａ、３Ｂは、例えば図２に示すように、ＣＰＵ３０１と、主記憶部３０２と、補助記憶部３０３と、短距離通信インタフェース３０４と、表示部３０５と、操作部３０６と、これらを互いに接続するバス３０９と、を備える。主記憶部３０２は、揮発性メモリであり、補助記憶部２０３は、不揮発性メモリであり、ＣＰＵ３０１が各種処理を実行するためのプログラムを記憶する。短距離通信インタフェース３０４は、例えば無線モジュールであり、空気調和機２Ａ、２Ｂと通信可能である。表示部３０５は、例えば液晶ディスプレイのような表示装置であり、空気調和機２Ａ、２Ｂの設定温度、区域ＲＡ、ＲＢの温度等を表示する。操作部３０６は、操作釦、タッチパッド等の入力装置であり、利用者により操作されると、その操作内容を示す操作情報をＣＰＵ３０１へ出力する。
【００１５】
ＣＰＵ３０１は、補助記憶部３０３が記憶するプログラムを主記憶部３０２に読み出して実行することにより、表示制御部３１１、操作受付部３１２および取得部３１３として機能する。また、補助記憶部３０３は、表示部３０５に表示させる操作画像を記憶する画像記憶部３３１と、空気調和機２Ａ、２Ｂから受信した可変範囲情報を記憶する可変範囲記憶部３３２と、を有する。取得部３１３は、空気調和機２Ａ、２Ｂから送信される可変範囲情報および温度情報を取得する。また、取得部３１３は、取得した可変範囲情報を可変範囲記憶部３３２に記憶させる。表示制御部３１１は、画像記憶部３３１が記憶する操作画像と取得部３１３が取得した温度情報と可変範囲記憶部３３２が記憶する可変範囲情報とに基づいて、表示部３０５に操作画像を表示させる。例えば図３に示すように、操作画像ＧＡ１１は、区域ＲＡ、ＲＢの温度を表示する温度表示領域Ａ１１と、空気調和機２Ａ、２Ｂの設定温度を表示する設定温度表示領域Ａ１２と、温度設定用のオブジェクト画像ＳＬ１、ＳＬ２と、可変範囲の上限温度、下限温度を表示する領域Ａ１３、Ａ１４と、を含む。ここで、オブジェクト画像ＳＬ１が、設定温度の可変範囲を表しており、オブジェクト画像ＳＬ２が、可変範囲全体における設定温度の位置を表している。操作受付部３１２は、利用者が操作部３０６を操作することにより操作部３０６から入力される操作情報を受け付けると、受け付けた操作情報に対応する設定温度を示す設定温度情報を生成して空気調和機２Ａ、２Ｂへ送信する。
【００１６】
図１に戻って、電力計測装置４は、例えば電力計、ＣＴ（Ｃｕｒｒｅｎｔ Ｔｒａｎｓｆｏｒｍｅｒ）センサ等を有し、空気調和機２Ａ、２Ｂが設置された建屋での消費電力量を計測する。なお、電力計測装置４は、空気調和機２Ａ、２Ｂの消費電力量を各別に計測してもよいし、空気調和機２Ａ、２Ｂで消費される消費電力量の合計値に相当する消費電力量を計測してもよい。或いは、電力計測装置４は、建屋で消費される総消費電力量を計測するものであってもよい。電力計測装置４は、計測して得られた消費電力量を示す消費電力情報を空気調和機管理装置１へ送信する。また、電力計測装置４は、空気調和機２Ａ、２Ｂが設置された建屋での瞬時の消費電力を計測するものであってもよい。
【００１７】
空気調和機管理装置１は、例えば図４に示すように、ＣＰＵ１０１と、主記憶部１０２と、補助記憶部１０３と、通信インタフェース１０４と、これらを互いに接続するバス１０９と、を備える。主記憶部１０２は、揮発性メモリであり、補助記憶部１０３は、半導体フラッシュメモリ、磁気ディスク等の不揮発性メモリであり、ＣＰＵ１０１が各種処理を実行するためのプログラムを記憶する。通信インタフェース１０４は、例えば無線モジュール、有線通信インタフェースであり、局所ネットワークＬＮＷを介して空気調和機２Ａ、２Ｂおよび電力計測装置４と通信可能である。
【００１８】
ＣＰＵ１０１は、補助記憶部１０３が記憶するプログラムを主記憶部１０２に読み出して実行することにより、電力取得部１１１、許容累積消費電力量算出部１１２、累積消費電力量算出部１１３、判定部１１４、温度取得部１１５、温度幅特定部１１６、可変範囲設定部１１７、範囲情報送信部１１８および計時部１１９として機能する。また、補助記憶部１０３は、消費電力記憶部１３１と、可変範囲記憶部１３２と、目標消費電力記憶部１３３と、温度幅記憶部１３４と、初期可変範囲記憶部１３５と、を有する。消費電力記憶部１３１は、例えば図５（Ａ）に示すように、空気調和機２Ａ、２Ｂが設置された建屋で消費された消費電力量を示す消費電力情報を、日時情報に対応づけて記憶している。ここで、消費電力情報は、例えば３０ｍｉｎ当たりの消費電力量を示す情報である。可変範囲記憶部１３２は、例えば図５（Ｂ）に示すように、空気調和機２Ａ、２Ｂそれぞれの設定温度の可変範囲を示す可変範囲情報を、空気調和機２Ａ、２Ｂを識別する空気調和機識別情報と、空気調和機２Ａ、２Ｂの運転モードを示す運転モード情報と、の組み合わせに対応づけて記憶している。可変範囲情報は、可変範囲の上限温度を示す情報と、可変範囲の下限温度を示す情報と、を含む。運転モード情報は、空気調和機２Ａ、２Ｂの運転モード（例えば、冷房運転モード、暖房運転モード等）を示す情報である。なお、運転モード情報の種類は、冷蔵運転モード、暖房運転モードに限定されるものではなく、除湿運転モード、送風運転モード等の他の運転モードを含んでもよい。
【００１９】
目標消費電力記憶部１３３は、例えば建屋における１ヶ月当たりの目標消費電力量を示す目標消費電力量情報を記憶する。温度幅記憶部１３４は、例えば図６に示すように、設定温度の可変範囲の温度幅を示す温度幅情報を、後述する累積消費電力超過量を示す情報と運転モード情報との組み合わせに対応づけて記憶する。なお、温度幅の大きさは、空気調和機２Ａ、２Ｂの冷房運転モードと暖房運転モードとで異なっていてもよい。例えば暖房運転モードの場合、累積消費電力超過量がＳｇＰ１１以上ＳｇＰ１２未満の範囲内であるときに対応する温度幅情報が、６℃（±３℃）を示し、累積消費電力超過量がＳｇＰ１２以上に対応する温度幅情報が、２℃（±１℃）を示すものであってもよい。
【００２０】
図４に戻って、初期可変範囲記憶部１３５は、空気調和機２Ａ、２Ｂそれぞれについての設定温度の可変範囲の初期値を示す初期可変範囲情報を、空気調和機２Ａ、２Ｂを識別する空気調和機識別情報と、空気調和機２Ａ、２Ｂの運転モードを示す運転モード情報と、の組み合わせに対応づけて記憶する第１可変範囲記憶部である。初期可変範囲情報は、前述の可変範囲情報と同様に、初期可変範囲の上限温度を示す情報と、初期可変範囲の下限温度を示す情報と、を含む第１可変範囲情報である。ここで、初期可変範囲は、空気調和機２Ａ、２Ｂの性能に基づいて決定され、空気調和機２Ａ、２Ｂの運転モードが冷房運転モードの場合、２０℃以上３２℃以下の範囲（温度幅１２℃）に設定され、空気調和機２Ａ、２Ｂの運転モードが暖房運転モードの場合、１６℃以上２８℃以下の範囲（温度幅１２℃）に設定されている第１可変範囲である。
【００２１】
電力取得部１１１は、空気調和機２Ａ、２Ｂが設置された建屋における消費電力量を示す消費電力情報を取得する。そして、電力取得部１１１は、計時部１１９から出力される消費電力情報を取得した時点を示す日時情報を取得し、取得した消費電力情報を、取得した日時情報に対応づけて消費電力記憶部１３１に記憶させる。
【００２２】
許容累積消費電力量算出部１１２は、空気調和機２Ａ、２Ｂでの消費電力を抑制する必要がある予め設定された消費電力抑制条件を満たしているか否かを判定する対象となる対象期間が属する月における１ヶ月当たりの目標累積消費電力量に基づいて、許容累積消費電力量を算出する。ここで、消費電力抑制条件とは、前述の対象期間内における累積消費電力量が許容累積消費電力量を超えることである。対象期間は、例えば許容消費電力量を算出する対象日の属する月の初日から対象日の前日までの間の期間に相当する。そして、許容累積消費電力量算出部１１２は、例えば下記式（１）の関係式を用いて許容累積消費電力量を算出する。
ＳｇＰｔｈ＝（ＳｇＰｔ／Ｎ）×ｎ      ・・・式（１）
ここで、ＳｇＰｔｈは、許容累積消費電力量を示し、ＳｇＰｔは、目標累積消費電力量を示し、Ｎは対象日が属する月の全日数を示し、ｎは、対象日が属する月の初日から対象日の前日までの日数を示す。例えば対象日がある月の「９日」である場合、対象期間は、その月の「１日」から「８日」までの間の期間に相当する。この場合、その月が３０日間であるとき、式（１）は、ＳｇＰｔｈ＝（ＳｇＰｔ／３０）×８と表される。また、許容累積消費電力量算出部１１２は、対象日が対象日の属する日の初日である場合、許容累積消費電力量を「０」とする。
【００２３】
累積消費電力量算出部１１３は、消費電力記憶部１３１が記憶する消費電力情報が示す消費電力量に基づいて、前述の対象期間における累積消費電力量を算出する。具体的には、累積消費電力量算出部１１３は、消費電力記憶部１３１が記憶する、対象日が属する月の初日から対象日の前日までの消費電力情報が示す消費電力量の総和を累積消費電力量として算出する。
【００２４】
判定部１１４は、累積消費電力量算出部１１３により算出された累積消費電力量に基づいて、前述の消費電力抑制条件が満たされているか否かを判定する。ここで、判定部１１４は、累積消費電力量と前述の許容累積消費電力量とを比較し、累積消費電力量が前述の許容累積消費電力量を超えている場合、消費電力抑制条件を満たしていると判定する。
【００２５】
温度取得部１１５は、空気調和機２Ａ、２Ｂから送信される、空気調和機２Ａ、２Ｂが設置された区域ＲＡ、ＲＢの第１温度を示す温度情報を取得する。
【００２６】
温度幅特定部１１６は、累積消費電力量が前述の許容累積消費電力量を超えた場合、累積消費電力量の許容累積消費電力量からの超過分に相当する累積消費電力超過量を算出する。そして、温度幅特定部１１６は、温度幅記憶部１３４が記憶する温度幅情報の中から、算出した累積消費電力超過量に対応する温度幅情報を特定する。温度幅記憶部１３４が、例えば図６に示すように、温度幅情報を累積消費電力超過量情報に対応づけて記憶しているとする。この場合、温度幅特定部１１６は、空気調和機２Ａ、２Ｂの冷房運転時において累積消費電力超過量がＳｇＰ１１以上ＳｇＰ１２未満の範囲内であるとき、温度幅８℃（±４℃）を示す温度幅情報を特定する。また、温度幅特定部１１６は、空気調和機２Ａ、２Ｂの冷房運転時において累積消費電力超過量がＳｇＰ１２以上であるとき、温度幅４℃（±２℃）を示す温度幅情報を特定する。
【００２７】
可変範囲設定部１１７は、判定部１１４により消費電力抑制条件が満たされていると判定されると、空気調和機２Ａ、２Ｂについて設定可能な設定温度の可変範囲を、初期可変範囲よりも狭い可変範囲、即ち、第２可変範囲に設定する。ここで、可変範囲設定部１１７は、温度幅記憶部１３４が記憶する温度幅情報の中から、温度幅特定部１１６により特定された温度幅情報を取得する。そして、可変範囲設定部１１７は、空気調和機２Ａ、２Ｂが設置された区域ＲＡ、ＲＢの第１温度が初期可変範囲に含まれる場合、可変範囲記憶部１３２が記憶する可変範囲情報が示す設定温度の可変範囲を、第１温度を含み且つ取得した温度幅情報が示す温度幅を有する可変範囲に設定する。また、可変範囲設定部１１７は、第１温度が初期可変範囲に含まれない場合、可変範囲記憶部１３２が記憶する可変範囲情報が示す設定温度の可変範囲を、初期可変範囲における第１温度に最も近い第２温度を含み且つ取得した温度幅情報が示す温度幅を有する可変範囲に設定する。更に、可変範囲設定部１１７が、設定温度の可変範囲を、初期可変範囲から初期可変範囲よりも狭い可変範囲に設定した後、判定部１１４により、前述の消費電力抑制条件を満たしていない、即ち、累積消費電力量が前述の許容累積消費電力量以下であると判定されたとする。この場合、可変範囲設定部１１７は、初期可変範囲記憶部１３５が記憶する初期可変範囲情報を取得し、可変範囲記憶部１３２が記憶する可変範囲情報が示す設定温度の可変範囲を、初期可変範囲よりも狭い可変範囲から初期可変範囲に変更する。可変範囲設定部１１７は、例えば空気調和機２Ａ、２Ｂが設置された区域の温度が２５℃である場合、温度幅特定部１１６により特定された温度幅が±２℃であれば、可変範囲を２３℃以上２７℃以下に設定する。そして、空気調和機２Ａ、２Ｂが設置された区域の温度が２８℃になると、可変範囲設定部１１７は、可変範囲を２６℃以上３０℃以下に変更する。従って、利用者は、空気調和機２Ａ、２Ｂが設置された区域の温度が２８℃の場合、設定温度を最低２６℃にしか設定することができない。そして、設定温度が２６℃に設定された状態で、空気調和機２Ａ、２Ｂが設置された区域が２６℃まで低下してから、利用者は、設定温度を２６℃よりも低い２４℃に設定することができる。これにより、利用者により設定温度を大きく変更されることが防止され、設定温度をある程度時間をかけて利用者の所望する温度に到達させることができるので、その分、空気調和機２Ａ、２Ｂにおける消費電力の削減効果が得られる。
【００２８】
範囲情報送信部１１８は、可変範囲記憶部１３２から可変範囲情報を取得し、取得した可変範囲情報を空気調和機２Ａ、２Ｂへ送信する。計時部１１９は、現時点での時刻と予め設定された消費電力取得時期または可変範囲見直し時期とを比較して、消費電力取得時期または可変範囲見直し時期が到来したか否かを判定する。計時部１１９は、消費電力取得時期が到来したと判定すると、その時の日時情報を電力取得部１１１へ通知する。また、計時部１１９は、可変範囲見直し時期が到来したと判定すると、その時の日時情報を許容累積消費電力量算出部１１２および累積消費電力量算出部１１３へ通知する。
【００２９】
次に、本実施の形態に係る空気調和機管理装置１が実行する空気調和機管理処理について図７から図９を参照しながら説明する。この空気調和機管理処理は、例えば空気調和機管理装置１へ電源が投入されたことを契機として開始される。まず、計時部１１９は、予め設定された消費電力取得時期が到来したか否かを判定する（ステップＳ１０１）。消費電力取得時期は、例えば３０ｍｉｎから１ｈｏｕｒの間の一定の時間間隔で到来するように設定される。計時部１１９により未だ消費電力取得時期が到来していないと判定されると（ステップＳ１０１：Ｎｏ）、後述するステップＳ１０３の処理が実行される。一方、計時部１１９により消費電力取得時期が到来したと判定されると（ステップＳ１０１：Ｙｅｓ）、電力取得部１１１は、電力計測装置４から消費電力情報を取得し、取得した消費電力情報を計時部１１９から通知される日時情報に対応づけて消費電力記憶部１３１に記憶させる（ステップＳ１０２）。
【００３０】
次に、計時部１１９は、予め設定された可変範囲見直し時期が到来したか否かを判定する（ステップＳ１０３）。可変範囲見直し時期は、例えば１日の予め設定された時刻（たとえば０時）に到来するように設定される。計時部１１９により未だ可変範囲見直し時期が到来していないと判定されると（ステップＳ１０３：Ｎｏ）、再びステップＳ１０１の処理が実行される。一方、計時部１１９により可変範囲見直し時期が到来したと判定されると、許容累積消費電力量算出部１１２は、前述の対象期間が属する月における１ヶ月当たりの目標累積消費電力量に基づいて、前日までの許容累積消費電力量を算出する（ステップＳ１０４）。続いて、累積消費電力量算出部１１３は、消費電力記憶部１３１が記憶する消費電力情報が示す消費電力量に基づいて、前述の対象期間における累積消費電力量を算出する（ステップＳ１０５）。
【００３１】
その後、判定部１１４は、累積消費電力量ＳｇＰが許容累積消費電力量ＳｇＰｔｈを超えているか否かを判定する（ステップＳ１０６）。判定部１１４が、累積消費電力量ＳｇＰが許容累積消費電力量ＳｇＰｔｈを超えていると判定すると（ステップＳ１０６：Ｙｅｓ）、温度幅特定部１１６は、累積消費電力量の許容累積消費電力量からの超過分に相当する累積消費電力超過量を算出する（ステップＳ１０７）。例えば図８に示すように、ある月の対象日である９日においてその月の初日から前日の８日までの累積消費電力量ＳｇＰが、許容累積消費電力量ＳｇＰｔｈを超えている場合、その累積消費電力超過量ΔＳｇＰを算出する。
【００３２】
図７に戻って、次に、温度幅特定部１１６は、温度幅記憶部１３４が記憶する温度幅情報の中から、算出した累積消費電力超過量に対応する温度幅情報を特定する（ステップＳ１０８）。続いて、温度取得部１１５は、空気調和機２Ａ、２Ｂから送信される、空気調和機２Ａ、２Ｂが設置された区域ＲＡ、ＲＢの第１温度を示す温度情報を取得する（ステップＳ１０９）。その後、可変範囲設定部１１７は、温度Ｔｈ−ΔＴｈ／２が初期可変範囲の下限温度Ｔｈｍｉｎ以上であり且つ温度Ｔｈ＋ΔＴｈ／２が初期可変範囲の上限温度Ｔｈｍａｘ以下であるか否かを判定する（ステップＳ１１０）。ここで、温度Ｔｈ−ΔＴｈ／２は、温度情報が示す第１温度Ｔｈから温度幅情報が示す温度幅ΔＴｈの１／２に相当するΔＴｈ／２だけ差し引いて得られる温度に相当する。また、温度Ｔｈ＋ΔＴｈ／２は、前述の第１温度Ｔｈに前述の温度幅ΔＴｈの１／２に相当するΔＴｈ／２だけ足して得られる温度に相当する。可変範囲設定部１１７が、温度Ｔｈ−ΔＴｈ／２が初期可変範囲の下限温度Ｔｈｍｉｎ以上であり且つ温度Ｔｈ＋ΔＴｈ／２が初期可変範囲の上限温度Ｔｈｍａｘ以下であると判定したとする（ステップＳ１１０：Ｙｅｓ）。この場合、可変範囲設定部１１７は、可変範囲記憶部１３２が記憶する可変範囲情報が示す設定温度の可変範囲を、第１温度Ｔｈを含む温度Ｔｈ−ΔＴｈ／２以上温度Ｔｈ＋ΔＴｈ／２以下の可変範囲に設定する（ステップＳ１１１）。次に、後述するステップＳ１１３の処理が実行される。
【００３３】
例えば温度幅記憶部１３４が図６に示すような温度幅情報を記憶しており、空気調和機２Ａ、２Ｂの冷房運転時において累積消費電力超過量がＳｇＰ１２以上であったとする。この場合、操作機器３Ａ、３Ｂの表示部３０５には、例えば図９（Ａ）に示すように可変範囲の下限温度が表示される領域Ａ１３に「２５．０℃」、可変範囲の上限温度が表示される領域Ａ１４に「２９．０℃」が表示される操作画像ＧＡ１２が表示される。
【００３４】
図７に戻って、一方、可変範囲設定部１１７が、温度Ｔｈ−ΔＴｈ／２が初期可変範囲の下限温度Ｔｈｍｉｎ未満または温度Ｔｈ＋ΔＴｈ／２が初期可変範囲の上限温度Ｔｈｍａｘ超であると判定したとする（ステップＳ１１０：Ｎｏ）。この場合、可変範囲設定部１１７は、可変範囲記憶部１３２が記憶する可変範囲情報が示す設定温度の可変範囲を、初期可変範囲の下限温度Ｔｈｍｉｎ以上温度Ｔｈ＋ΔＴｈ／２以下の可変範囲、または、温度Ｔｈ−ΔＴｈ／２以上初期可変範囲の上限温度Ｔｈｍａｘ以下の可変範囲に設定する（ステップＳ１１２）。続いて、範囲情報送信部１１８は、可変範囲記憶部１３２が記憶する可変範囲情報を空気調和機２Ａ、２Ｂへ送信し（ステップＳ１１３）、再びステップＳ１０１の処理が実行される。
【００３５】
例えば温度幅記憶部１３４が図６に示すような温度幅情報を記憶しており、空気調和機２Ａ、２Ｂの冷房運転時において累積消費電力超過量がＳｇＰ１２以上であったとする。そして、区域ＲＡ、ＲＢの温度が、初期可変範囲の上限温度３２℃よりも高い３４℃であったとする。この場合、操作機器３Ａ、３Ｂの表示部３０５には、例えば図９（Ｂ）に示すように可変範囲の下限温度が表示される領域Ａ１３に「２８．０℃」、可変範囲の上限温度が表示される領域Ａ１４に「３２．０℃」が表示される操作画像ＧＡ１３が表示される。
【００３６】
図７に戻って、また、ステップＳ１０６において、判定部１１４が、累積消費電力量ＳｇＰが許容累積消費電力量ＳｇＰｔｈ未満であると判定したとする（ステップＳ１０６：Ｎｏ）。この場合、可変範囲設定部１１７は、初期可変範囲記憶部１３５が記憶する初期可変範囲情報を取得し、可変範囲記憶部１３２が記憶する可変範囲情報が示す設定温度の可変範囲を、初期可変範囲よりも狭い可変範囲から初期可変範囲に設定する（ステップＳ１１４）。例えば図８に示すように、ある月の対象日である１３日においてその月の初日から前日の１２日までの累積消費電力量ＳｇＰが、許容累積消費電力量ＳｇＰｔｈを下回る場合、可変範囲設定部１１７は、可変範囲記憶部１３２が記憶する可変範囲情報が示す設定温度の可変範囲を再び初期可変範囲に設定する。なお、可変範囲設定部１１７が、可変範囲記憶部１３２が記憶する可変範囲情報が示す設定温度の可変範囲が既に初期可変範囲に設定されていると判定すると、そのまま前述のステップＳ１１３の処理が実行される。
【００３７】
以上説明したように、本実施の形態に係る空気調和機管理装置１によれば、判定部１１４が、前述の消費電力抑制条件が満たされているか否かを判定し、可変範囲設定部１１７が、判定部１１４により消費電力抑制条件が満たされていると判定されると、空気調和機２Ａ、２Ｂについて設定可能な設定温度の可変範囲を、初期可変範囲よりも狭い可変範囲に設定する。これにより、設定温度の可変範囲が初期可変範囲に設定されている場合、利用者は初期可変範囲で空気調和機２Ａ、２Ｂの設定温度を変更することができ、消費電力抑制条件が満たされると、設定温度の可変範囲が初期可変範囲よりも狭い可変範囲に縮小され、設定温度の変動が抑制される分、空気調和機２Ａ、２Ｂでの消費電力量が低減される。つまり、利用者による設定温度の可変の自由度をある程度維持しつつ、空気調和機２Ａ、２Ｂでの消費電力量を低減することができる。従って、建屋での消費電力量を低減しつつ、空気調和機２Ａ、２Ｂが設置された区域において利用者にとって快適な居住空間を実現できる。
【００３８】
また、本実施の形態に係る空気調和機管理装置１は、空気調和機２Ａ、２Ｂが設置された区域ＲＡ、ＲＢの第１温度を示す温度情報を取得する温度取得部１１５を備え、可変範囲設定部１１７が、第１温度が初期可変範囲に含まれる場合、空気調和機２Ａ、２Ｂの設定温度の可変範囲を、第１温度を含み且つ初期可変範囲よりも狭い可変範囲に設定する。また、可変範囲設定部１１７は、区域ＲＡ、ＲＢの第１温度が初期可変範囲に含まれない場合、空気調和機２Ａ、２Ｂの設定温度の可変範囲を、初期可変範囲における第１温度に最も近い第２温度を含み且つ初期可変範囲よりも狭い可変範囲に設定する。これにより、空気調和機２Ａ、２Ｂが設置された区域ＲＡ、ＲＢの第１温度の大きな変更を伴うこと無く、建屋における消費電力量の低減を図ることができるので、利用者にとって快適な居住空間を維持できるという利点がある。
【００３９】
更に、本実施の形態に係る可変範囲設定部１１７は、空気調和機２Ａ、２Ｂの設定温度の可変範囲を、初期可変範囲よりも狭い可変範囲に設定した後、判定部１１４により消費電力抑制条件を満たしていないと判定されると、空気調和機２Ａ、２Ｂの設定温度の可変範囲を、初期可変範囲に変更する。これにより、空気調和機２Ａ、２Ｂの設定温度の可変範囲が制限される期間を短縮することができるので、空気調和機２Ａ、２Ｂが設置された区域において利用者にとって快適な居住空間を実現できる。
【００４０】
また、本実施の形態に係る温度幅特定部１１６は、累積消費電力量が許容累積消費電力量を超えた場合、累積消費電力量の許容累積消費電力量からの超過分に相当する累積消費電力超過量を算出し、算出した累積消費電力超過量に基づいて、空気調和機２Ａ、２Ｂの設定温度の可変範囲の温度幅を特定する。これにより、空気調和機２Ａ、２Ｂの設定温度の可変範囲を累積消費電力超過量に応じてきめ細かく変更することができるので、その分、利用者にとって快適な居住空間を維持し易くなる。
【００４１】
（実施の形態２）
本実施の形態に係る空気調和機は、操作機器から温度上昇指示情報を受信する毎に単位温度幅ずつ設定温度を上昇させ、操作機器から温度下降指示情報を受信する毎に単位温度幅ずつ設定温度を下降させる機能を有する点で実施の形態１に係る空気調和機２Ａ、２Ｂと相違する。そして、本実施の形態に係る空気調和機管理装置は、判定部により前述の消費電力抑制条件が満たされていると判定されると、空気調和機の設定温度を変更する際の単位温度幅を、予め設定された第１単位温度幅よりも狭い第２単位温度幅に設定する単位温度幅設定部を備える点で実施の形態１に係る空気調和機管理装置１と相違する。
【００４２】
本実施の形態に係る空気調和システムは、実施の形態１と同様に、空気調和機管理装置と、空気調和機と、操作機器と、電力計測装置と、を備える。そして、図１０に示すように、空気調和機２００２Ａ、２００２Ｂは、圧縮機２２０と、送風ファン２３０と、区域ＲＡ、ＲＢの第１温度を計測する温度計測部２４０と、圧縮機２２０および送風ファン２３０の動作を制御する制御部２２００と、を有する。なお、図１０において、実施の形態１と同様の構成については図２と同一の符号を付している。ＣＰＵ２０１は、補助記憶部２０３が記憶するプログラムを主記憶部２０２に読み出して実行することにより、制御情報生成部２１１、設定温度更新部２２１２、温度送信部２１３および取得部２１４として機能する。また、補助記憶部２０３は、設定温度記憶部２３１と、空気調和機２００２Ａ、２００２Ｂの設定温度を単位温度幅ずつ変化させる際の単位温度幅を示す単位温度幅情報を記憶する単位温度幅記憶部２２３２と、を有する。取得部２１４は、空気調和機管理装置１から送信される単位温度幅情報を取得し、取得した単位温度幅情報を単位温度幅記憶部２２３２に記憶させる。また、取得部２１４は、操作機器２００３Ａ、２００３Ｂから送信される空気調和機２００２Ａ、２００２Ｂの設定温度を上昇させるよう指示する温度上昇指示情報、または、設定温度を下降させるよう指示する温度下降指示情報を取得する。設定温度更新部２２１２は、取得部２１４が温度上昇指示情報を取得する毎に、設定温度記憶部２３１が記憶する設定温度を、単位温度幅記憶部２２３２が記憶する単位温度幅情報が示す単位温度幅ずつ上昇させる。一方、設定温度更新部２２１２は、取得部２１４が温度下降指示情報を取得する毎に、設定温度記憶部２３１が記憶する設定温度を、単位温度幅記憶部２２３２が記憶する単位温度幅情報が示す単位温度幅ずつ下降させる。
【００４３】
図１０に戻って、操作機器２００３Ａ、２００３Ｂは、ＣＰＵ３０１と、主記憶部３０２と、補助記憶部３０３と、短距離通信インタフェース３０４と、表示部３０５と、操作部３０６と、これらを互いに接続するバス３０９と、を備える。ＣＰＵ３０１は、補助記憶部３０３が記憶するプログラムを主記憶部３０２に読み出して実行することにより、表示制御部３１１、操作受付部３１２および取得部３１３として機能する。また、補助記憶部３０３は、表示部３０５に表示させる操作画像を記憶する画像記憶部３３１を有する。操作機器２００３Ａ、２００３Ｂは、例えば図１１に示すような、温度表示領域Ａ１１と、設定温度表示領域Ａ１２と、設定温度を上昇させる際に操作される釦を表す釦画像ＢＵ１と、設定温度を下降させる際に操作される釦を表す釦画像ＢＵ２と、を含む操作画像ＧＡ２を表示部３０５に表示させる。
【００４４】
空気調和機管理装置１は、例えば図１２に示すように、ＣＰＵ１０１と、主記憶部１０２と、補助記憶部１０３と、通信インタフェース１０４と、これらを互いに接続するバス１０９と、を備える。なお、図１２において、実施の形態１と同様の構成については図４と同一の符号を付している。ＣＰＵ１０１は、補助記憶部１０３が記憶するプログラムを主記憶部１０２に読み出して実行することにより、電力取得部１１１、許容累積消費電力量算出部１１２、累積消費電力量算出部１１３、判定部１１４、単位温度幅設定部２１１８、単位温度幅情報送信部２１１９および計時部１１９として機能する。また、補助記憶部１０３は、消費電力記憶部１３１と、単位温度幅記憶部２１３２と、目標消費電力記憶部１３３と、単位温度幅基準記憶部２１３４と、初期単位温度幅記憶部２１３５と、を有する。
【００４５】
単位温度幅記憶部２１３２は、例えば図１３（Ａ）に示すように、空気調和機２００２Ａ、２００２Ｂそれぞれの設定温度を変更する際の単位温度幅を示す単位温度幅情報を、空気調和機２００２Ａ、２００２Ｂを識別する空気調和機識別情報に対応づけて記憶している。単位温度幅基準記憶部２１３４は、例えば図１３（Ｂ）に示すように、予め設定された単位温度幅の基準値を示す単位温度幅情報を、後述する累積消費電力超過量を示す情報に対応づけて記憶する。初期単位温度幅記憶部２１３５は、空気調和機２００２Ａ、２００２Ｂそれぞれについての初期単位温度幅情報を、空気調和機２００２Ａ、２００２Ｂを識別する空気調和機識別情報に対応づけて記憶する第１単位温度幅記憶部である。初期単位温度幅情報は、空気調和機２００２Ａ、２００２Ｂそれぞれについての設定温度を変更する際の単位温度幅の初期値を示す第１単位温度幅情報である。
【００４６】
単位温度幅設定部２１１８は、累積消費電力量が前述の許容累積消費電力量を超えた場合、累積消費電力量の許容累積消費電力量からの超過分に相当する累積消費電力超過量を算出する。そして、単位温度幅設定部２１１８は、単位温度幅基準記憶部２１３４が記憶する単位温度幅情報の中から、算出した累積消費電力超過量に対応する単位温度幅情報を特定する。単位温度幅基準記憶部２１３４が、例えば図１３（Ｂ）に示すように、単位温度幅情報を累積消費電力超過量情報に対応づけて記憶しているとする。この場合、単位温度幅設定部２１１８は、空気調和機２００２Ａ、２００２Ｂの累積消費電力超過量がＳｇＰ１１以上ＳｇＰ１２未満の範囲内であるとき、単位温度幅１℃を示す単位温度幅情報を特定する。また、単位温度幅設定部２１１８は、空気調和機２００２Ａ、２００２Ｂの累積消費電力超過量がＳｇＰ１２以上であるとき、単位温度幅０．５℃を示す単位温度幅情報を特定する。そして、単位温度幅設定部２１１８は、判定部１１４により消費電力抑制条件が満たされていると判定されると、空気調和機２００２Ａ、２００２Ｂについて設定温度を変更する際の単位温度幅を、初期単位温度幅よりも狭い単位温度幅、即ち、第２単位温度幅に設定する。更に、単位温度幅設定部２１１８が、単位温度幅を、初期単位温度幅から初期単位温度幅よりも狭い単位温度幅に設定した後、判定部１１４により、前述の消費電力抑制条件を満たしていない、即ち、累積消費電力量が前述の許容累積消費電力量以下であると判定されたとする。この場合、単位温度幅設定部２１１８は、初期単位温度幅記憶部２１３５が記憶する初期単位温度幅情報を取得し、単位温度幅記憶部２１３２が記憶する単位温度幅情報が示す単位温度幅を、初期単位温度幅よりも狭い単位温度幅から初期単位温度幅に変更する。
【００４７】
単位温度幅情報送信部２１１９は、単位温度幅記憶部２１３２から単位温度幅情報を取得し、取得した単位温度幅情報を空気調和機２００２Ａ、２００２Ｂへ送信する。
【００４８】
次に、本実施の形態に係る空気調和機管理装置１が実行する空気調和機管理処理について図１４を参照しながら説明する。まず、ステップＳ２０１からＳ２０５までの一連の処理が実行される。なお、ステップＳ２０１からＳ２０５までの処理の内容は、実施の形態１で説明したステップＳ１０１からＳ１０５までの処理と同様である。次に、判定部１１４は、累積消費電力量ＳｇＰが許容累積消費電力量ＳｇＰｔｈを超えているか否かを判定する（ステップＳ２０６）。判定部１１４が、累積消費電力量ＳｇＰが許容累積消費電力量ＳｇＰｔｈを超えていると判定すると（ステップＳ２０６：Ｙｅｓ）、単位温度幅設定部２１１８は、累積消費電力量の許容累積消費電力量からの超過分に相当する累積消費電力超過量を算出する（ステップＳ２０７）。
【００４９】
続いて、単位温度幅設定部２１１８は、単位温度幅基準記憶部２１３４が記憶する単位温度幅情報の中から、算出した累積消費電力超過量に対応する温度幅情報を特定する（ステップＳ２０８）。続いて、単位温度幅設定部２１１８は、単位温度幅記憶部２１３２が記憶する単位温度幅情報が示す単位温度幅を、初期単位温度幅よりも狭い単位温度幅に設定する（ステップＳ２０９）。その後、単位温度幅情報送信部２１１９は、単位温度幅記憶部２１３２が記憶する単位温度幅情報を空気調和機２００２Ａ、２００２Ｂへ送信し（ステップＳ２１０）、再びステップＳ２０１の処理が実行される。
【００５０】
また、ステップＳ２０６において、判定部１１４が、累積消費電力量ＳｇＰが許容累積消費電力量ＳｇＰｔｈ未満であると判定したとする（ステップＳ２０６：Ｎｏ）。この場合、単位温度幅設定部２１１８は、初期単位温度幅記憶部２１３５が記憶する初期単位温度幅情報を取得し、単位温度幅記憶部２１３２が記憶する単位温度幅情報が示す単位温度幅を、初期単位温度幅に設定する（ステップＳ２１１）。なお、単位温度幅設定部２１１８が、単位温度幅記憶部２１３２が記憶する単位温度幅情報が示す単位温度幅が既に初期単位温度幅に設定されていると判定すると、そのまま前述のステップＳ２１０の処理が実行される。
【００５１】
以上説明したように、本実施の形態に係る空気調和機管理装置２００１によれば、単位温度幅設定部２１１８が、判定部１１４により前述の消費電力抑制条件が満たされていると判定されると、空気調和機２００２Ａ、２００２Ｂの設定温度を変更する際の単位温度幅を、初期単位温度幅よりも狭い単位温度幅に設定する。これにより、前述の単位温度幅が初期単位温度幅に設定されている場合、利用者は設定温度を大きく変更することができ、消費電力抑制条件が満たされると、単位温度幅が初期単位温度幅よりも狭い単位温度幅に縮小され、設定温度の変動が抑制される分、空気調和機２００２Ａ、２００２Ｂでの消費電力量が低減される。つまり、利用者による設定温度の可変の自由度をある程度維持しつつ、空気調和機２００２Ａ、２００２Ｂでの消費電力量を低減することができる。従って、建屋での消費電力量を低減しつつ、空気調和機２００２Ａ、２００２Ｂが設置された区域において利用者にとって快適な居住空間を実現できる。
【００５２】
また、本実施の形態に係る単位温度幅設定部２１１８は、空気調和機２Ａ、２Ｂの設定温度の変更の際の単位温度幅を初期単位温度幅よりも狭い単位温度幅に設定した後、判定部１１４により、前述の消費電力抑制条件を満たしていないと判定されると、単位温度幅を、初期単位温度幅へ変更する。これにより、空気調和機２Ａ、２Ｂの単位温度幅が縮小されている期間を短縮することができるので、空気調和機２００２Ａ、２００２Ｂが設置された区域において利用者にとって快適な居住空間を実現できる。
【００５３】
更に、本実施の形態に係る単位温度幅設定部２１１８は、累積消費電力量が許容累積消費電力量を超えた場合、累積消費電力量の許容累積消費電力量からの超過分に相当する累積消費電力超過量を算出し、算出した累積消費電力超過量に基づいて、単位温度幅の大きさを決定する。これにより、空気調和機２Ａ、２Ｂの設定温度を変更する際の単位温度幅を、累積消費電力超過量に応じてきめ細かく変更することができるので、その分、利用者にとって快適な居住空間を維持し易くなる。
【００５４】
（実施の形態３）
本実施の形態に係る空気調和機管理装置は、空気調和機が設置された区域毎に、サービスランクを付与し、各区域のサービスランクに応じて初期可変範囲を設定する点で実施の形態１に係る空気調和機管理装置１と相違する。本実施の形態に係る空気調和機管理装置は、複数種類の初期可変範囲を示す初期可変範囲情報を、予め設定されたサービスランクに対応づけて記憶する初期可変範囲記憶部と、空気調和機に対応づけられたサービスランクを示すサービスランク情報を取得するサービスランク取得部と、を備える。そして、可変範囲設定部が、初期可変範囲記憶部が記憶する初期可変範囲情報の中から、サービスランク情報が示すサービスランクに対応する初期可変範囲情報を取得し、可変範囲記憶部が記憶する可変範囲情報が示す設定温度の可変範囲を、取得した初期可変範囲情報が示す初期可変範囲に設定する。
【００５５】
本実施の形態に係る空気調和システムは、例えば図１５に示すように、空気調和機管理装置３００１と、空気調和機２Ａ、２Ｂと、操作機器３Ａ、３Ｂと、電力計測装置４と、各区域のサービスランクを管理するサービスランク管理サーバ３００６と、を備える。なお、図１５において、実施の形態１と同様の構成については、図１と同一の符号を付している。サービスランク管理サーバ３００６は、例えば空気調和機２Ａ、２Ｂが設置された建屋を管理する管理会社に設置されている。サービスランク管理サーバ３００６は、空気調和機管理装置３００１からサービスランク情報を送信することを要求するサービスランク送信要求を受信すると、これに応じて、サービスランク情報を生成して空気調和機管理装置３００１へ送信する。
【００５６】
空気調和機管理装置３００１と空気調和機２Ａ、２Ｂと電力計測装置４とは、建屋内に敷設された局所ネットワークＬＮＷを介して通信可能に接続されている。また、局所ネットワークＬＮＷには、ルータ３０５１が接続されている。ルータ３０５１は、データ回線終端装置３０５２を介して広域ネットワークＩＮＷに接続されている。ここで、ルータ３０５１は、例えばブロードバンドルータであり、データ回線終端装置３０５２は、例えばモデム、ゲートウェイ等としての機能を有するものである。広域ネットワークＩＮＷは、例えばインターネットである。サービスランク管理サーバ３００６は、広域ネットワークＩＮＷに接続されており、広域ネットワークＩＮＷを介して空気調和機管理装置３００１と通信可能である。
【００５７】
空気調和機管理装置３００１は、例えば図１６に示すように、ＣＰＵ１０１と、主記憶部１０２と、補助記憶部１０３と、通信インタフェース１０４と、これらを互いに接続するバス１０９と、を備える。なお、図１６において、実施の形態１と同様の構成については図１と同一の符号を付している。ＣＰＵ１０１は、補助記憶部１０３が記憶するプログラムを主記憶部１０２に読み出して実行することにより、電力取得部１１１、許容累積消費電力量算出部１１２、累積消費電力量算出部１１３、判定部１１４、温度取得部１１５、温度幅特定部１１６、可変範囲設定部３１１７、範囲情報送信部１１８、サービスランク取得部３１１８および計時部１１９として機能する。また、補助記憶部１０３は、消費電力記憶部１３１と、可変範囲記憶部３１３２と、目標消費電力記憶部１３３と、温度幅記憶部１３４と、初期可変範囲記憶部３１３５と、を有する。
【００５８】
初期可変範囲記憶部３１３５は、例えば図１７（Ａ）に示すように、設定温度の可変範囲を示す可変範囲情報を、サービスランク情報と運転モード情報との組み合わせに対応づけて記憶している。ここで、「有料」、即ち、建屋の管理会社へ空気調和機２Ａ、２Ｂの特別利用料を支払っている場合のサービスランク情報に対応する可変範囲は、「無料」、即ち、建屋の管理会社へ空気調和機２Ａ、２Ｂの特別利用料を支払っていない場合のサービスランク情報に対応する可変範囲に比べて広く設定されている。可変範囲記憶部３１３２は、例えば図１７（Ｂ）に示すように、空気調和機２Ａ、２Ｂそれぞれの設定温度の可変範囲を示す可変範囲情報を、空気調和機識別情報と運転モード情報とサービスランク情報との組み合わせに対応づけて記憶している。
【００５９】
サービスランク取得部３１１８は、空気調和機２Ａ、２Ｂが設置された区域ＲＡ、ＲＢ、即ち、空気調和機２Ａ、２Ｂに対応づけられたサービスランクを示すサービスランク情報を、サービスランク管理サーバ３００６から取得する。ここで、サービスランク取得部３１１８は、前述のサービスランク送信要求情報をサービスランク管理サーバ３００６へ送信することにより、サービスランク情報を取得する。
【００６０】
可変範囲設定部３１１７は、実施の形態１と同様に、判定部１１４により消費電力抑制条件が満たされていると判定されると、空気調和機２Ａ、２Ｂについて設定可能な設定温度の可変範囲を、初期可変範囲よりも狭い可変範囲に設定する。また、可変範囲設定部３１１７は、初期可変範囲記憶部３１３５が記憶する初期可変範囲情報の中から、サービスランク取得部３１１８が取得したサービスランク情報が示すサービスランクに対応する初期可変範囲情報を取得し、可変範囲記憶部３１３２が記憶する可変範囲情報が示す設定温度の可変範囲を、取得した初期可変範囲情報が示す初期可変範囲に設定する。
【００６１】
次に、本実施の形態に係る空気調和機管理装置１が実行する空気調和機管理処理について図１８を参照しながら説明する。なお、図１８において、実施の形態１と同様の処理については図７と同一の符号を付している。まず、ステップＳ１０１、Ｓ１０２の処理が実行された後、計時部１１９は、予め設定された可変範囲見直し時期が到来したか否かを判定する（ステップＳ１０３）。計時部１１９により未だ可変範囲見直し時期が到来していないと判定されると（ステップＳ１０３：Ｎｏ）、再びステップＳ１０１の処理が実行される。一方、計時部１１９により可変範囲見直し時期が到来したと判定されると（ステップＳ１０３：Ｙｅｓ）、サービスランク取得部３１１８は、空気調和機２Ａ、２Ｂに対応づけられたサービスランクを示すサービスランク情報を、サービスランク管理サーバ３００６から取得する（ステップＳ３０１）。
【００６２】
次に、可変範囲設定部３１１７は、初期可変範囲記憶部３１３５が記憶する初期可変範囲情報の中から、サービスランク取得部３１１８が取得したサービスランク情報が示すサービスランクに対応する初期可変範囲情報を取得し、可変範囲記憶部３１３２が記憶する可変範囲情報が示す設定温度の可変範囲を、取得した初期可変範囲情報が示す初期可変範囲に設定する（ステップＳ３０２）。その後、ステップＳ１０４以降の一連の処理が実行される。
【００６３】
以上説明したように、本実施の形態に係る空気調和機管理装置１によれば、サービスランク取得部３１１８が、空気調和機２Ａ、２Ｂに対応づけられたサービスランクを示すサービスランク情報を取得する。そして、可変範囲設定部３１１７が、初期可変範囲記憶部３１３５が記憶する初期可変範囲情報の中から、サービスランク取得部３１１８が取得したサービスランク情報が示すサービスランクに対応する初期可変範囲情報を取得し、可変範囲記憶部３１３２が記憶する可変範囲情報が示す設定温度の可変範囲を、取得した初期可変範囲情報が示す初期可変範囲に設定する。これにより、空気調和機２Ａ、２Ｂそれぞれに対応するサービスランクに応じて設定温度の可変範囲を変更することができる。
【００６４】
以上、本発明の実施の形態について説明したが、本発明は前述の各実施の形態によって限定されるものではない。例えば、実施の形態１において、判定部１１４が、前日の１日当たりの消費電力量と、予め設定された１日当たりの許容消費電力量と、を比較し、前日の１日当たりの消費電力量が前述の許容消費電力量を超えている場合、消費電力抑制条件を満たしていると判定するものであってもよい。
【００６５】
例えば図１９に示すように、本変形例に係る空気調和機管理装置４００１では、ＣＰＵ１０１が、補助記憶部１０３が記憶するプログラムを主記憶部１０２に読み出して実行することにより、電力取得部１１１、許容消費電力量算出部４１１２、前日消費電力量算出部４１１３、判定部１１４、温度取得部１１５、温度幅特定部４１１６、可変範囲設定部１１７、範囲情報送信部１１８および計時部１１９として機能する。なお、図１９において、実施の形態１と同様の構成については図１と同一の符号を付している。また、補助記憶部１０３は、消費電力記憶部１３１と、可変範囲記憶部１３２と、目標消費電力記憶部１３３と、温度幅記憶部４１３４と、初期可変範囲記憶部１３５と、を有する。温度幅記憶部４１３４は、温度幅情報を、後述する１日当たりの消費電力超過量を示す消費電力超過情報に対応づけて記憶している。
【００６６】
許容消費電力量算出部４１１２は、前述の消費電力抑制条件を満たしているか否かを判定する対象となる対象日が属する月における１ヶ月当たりの目標累積消費電力量に基づいて、許容消費電力量を算出する。ここで、消費電力抑制条件とは、前述の対象日の前日における消費電力量が許容消費電力量を超えることである。許容累積消費電力量算出部１１２は、例えば下記式（２）の関係式を用いて許容累積消費電力量を算出する。
Ｐｔｈ＝ＳｇＰｔ／Ｎ      ・・・式（２）
ここで、Ｐｔｈは、許容消費電力量を示し、ＳｇＰｔは、目標累積消費電力量を示し、Ｎは対象日が属する月の全日数を示す。例えば対象日が属する月が３０日間であるとき、式（２）は、Ｐｔｈ＝ＳｇＰｔ／３０と表される。
【００６７】
前日消費電力量算出部４１１３は、消費電力記憶部１３１が記憶する消費電力情報が示す消費電力量に基づいて、前述の対象日の前日の消費電力量を算出する。具体的には、前日消費電力量算出部４１１３は、消費電力記憶部１３１が記憶する、対象日の前日の各時間帯における消費電力情報が示す消費電力量の総和を前日の消費電力量として算出する。
【００６８】
温度幅特定部４１１６は、対象日の前日の消費電力量が前述の許容消費電力量を超えた場合、前日の１日当たりの消費電力量の許容消費電力量からの超過分に相当する消費電力超過量を算出する。そして、温度幅特定部４１１６は、温度幅記憶部４１３４が記憶する温度幅情報の中から、算出した消費電力超過量に対応する温度幅情報を特定する。
【００６９】
次に、本変形例に係る空気調和機管理装置４００１が実行する空気調和機管理処理について図２０を参照しながら説明する。なお、図２０において、実施の形態１と同様の処理については図７と同一の符号を付している。まず、ステップＳ１０１、Ｓ１０２の処理が実行された後、計時部１１９は、予め設定された可変範囲見直し時期が到来したか否かを判定する（ステップＳ１０３）。計時部１１９により未だ可変範囲見直し時期が到来していないと判定されると（ステップＳ１０３：Ｎｏ）、再びステップＳ１０１の処理が実行される。一方、計時部１１９により可変範囲見直し時期が到来したと判定されると（ステップＳ１０３：Ｙｅｓ）、許容消費電力量算出部４１１２は、前述の対象日が属する月における１ヶ月当たりの目標累積消費電力量に基づいて、前日の１日当たりの消費電力量に対する許容消費電力量を算出する（ステップＳ４０１）。次に、前日消費電力量算出部４１１３は、消費電力記憶部１３１が記憶する消費電力情報が示す消費電力量に基づいて、対象日の前日の１日当たりの消費電力量を算出する（ステップＳ４０２）。
【００７０】
続いて、判定部１１４は、前日の消費電力量Ｐが許容消費電力量Ｐｔｈを超えているか否かを判定する（ステップＳ４０３）。判定部１１４が、前日の消費電力量Ｐが許容消費電力量Ｐｔｈを超えていると判定すると（ステップＳ４０３：Ｙｅｓ）、温度幅特定部４１１６は、消費電力量の許容消費電力量からの超過分に相当する消費電力超過量を算出する（ステップＳ４０４）。その後、温度幅特定部４１１６は、温度幅記憶部４１３４が記憶する温度幅情報の中から、算出した消費電力超過量に対応する温度幅情報を特定する（ステップＳ４０５）。次に、ステップＳ１０９以降の一連の処理が実行される。また、ステップＳ４０３において、判定部１１４が、対象日の前日の消費電力量Ｐが許容消費電力量Ｐｔｈ未満であると判定したとする（ステップＳ４０３：Ｎｏ）。この場合、可変範囲設定部１１７は、初期可変範囲記憶部１３５が記憶する初期可変範囲情報を取得し、可変範囲記憶部１３２が記憶する可変範囲情報が示す設定温度の可変範囲を、初期可変範囲よりも狭い可変範囲から初期可変範囲に設定する（ステップＳ１１４）。
【００７１】
本構成によれば、空気調和機２Ａ、２Ｂについて設定可能な設定温度の可変範囲が、初期可変範囲よりも狭い可変範囲に設定される傾向が大きくなる。これにより、設定温度の変動が抑制される傾向が大きくなる分だけ、空気調和機２Ａ、２Ｂでの消費電力量が低減される。
【００７２】
また、実施の形態２において、空気調和システムが、空気調和機２００２Ａ、２００２Ｂに対応づけられたサービスランクを示すサービスランク情報を管理するサービスランク管理サーバを備えるものであってもよい。この場合、空気調和機管理装置は、複数種類の初期単位温度幅を示す初期単位温度幅情報を、サービスランクに対応づけて記憶する初期単位温度幅記憶部と、サービスランク管理サーバからサービスランク情報を取得するサービスランク取得部と、を備えるものとすればよい。初期単位温度幅記憶部２１３５は、例えば図２１（Ａ）に示すように、単位温度幅を示す単位温度幅情報を、サービスランク情報に対応づけて記憶しているものとすればよい。そして、単位温度幅記憶部２１３２は、例えば図２１（Ｂ）に示すように、空気調和機２Ａ、２Ｂそれぞれの設定温度の変更時における単位温度幅を示す単位温度幅情報を、空気調和機識別情報とサービスランク情報との組み合わせに対応づけて記憶しているものとすればよい。
【００７３】
本変形例に係る単位温度幅設定部２１１８は、初期単位温度幅記憶部２１３５が記憶する初期単位温度幅情報の中から、サービスランク情報が示すサービスランクに対応する初期単位温度幅情報を取得し、単位温度幅記憶部２１３２が記憶する単位温度幅情報が示す単位温度幅を、取得した初期単位温度幅情報が示す初期単位温度幅に設定する。
【００７４】
本構成によれば、空気調和機２００２Ａ、２００２Ｂそれぞれに対応するサービスランクに応じて空気調和機２００２Ａ、２００２Ｂの設定温度の変更時における単位温度幅を変更することができる。
【００７５】
実施の形態１では、空気調和機２Ａ、２Ｂの累積消費電力量が許容累積消費電力量を超えている場合、例えば図９（Ａ）に示すように、操作機器３Ａ、３Ｂの表示部３０５に表示される操作画像ＧＡ１２のうちオブジェクト画像ＳＬ１の両端部それぞれの近傍の領域Ａ１３、Ａ１４に表示される温度のみが変更される例について説明した。但し、空気調和機２Ａ、２Ｂの累積消費電力量が許容累積消費電力量を超えている場合に表示部３０５に表示される操作画像はこれに限定されない。例えば図２２に示すように、初期可変範囲のうちの設定温度の可変範囲を示す部分ＳＬ５１とそれ以外の範囲を示す部分ＳＬ５２とから構成されるオブジェクト画像ＳＬ５０を含む操作画像ＧＡ５が表示部３０５に表示されてもよい。
【００７６】
各実施の形態では、電力取得部１１１が、予め設定された電力取得時期が到来する毎に電力計測装置４から消費電力情報を取得する例について説明したが、電力取得部１１１が消費電力情報を取得するタイミングはこれに限定されず、その他任意のタイミングで取得してもよい。
【００７７】
実施の形態３では、空気調和機管理装置３００１がルータ３０５１およびデータ回線終端装置３０５２を介して広域ネットワークＩＮＷに接続される例について説明したが、これに限らない。例えば空気調和機管理装置３００１自体が、プロトコル変換機能、ルータ機能等を有する場合、空気調和機管理装置３００１が直接広域ネットワークＩＮＷに接続されるものであってもよい。
【００７８】
また、本発明に係る空気調和機管理装置１、２００１、３００１、４００１の各種機能は、ソフトウェア、ファームウェア、またはソフトウェアとファームウェアとの組み合わせにより実現されてもよい。この場合、ソフトウェアまたはファームウェアは、プログラムとして記述され、プログラムを、フレキシブルディスク、ＣＤ−ＲＯＭ（Compact Disc Read Only Memory）、ＤＶＤ（Digital Versatile Disc）およびＭＯ（Magneto-Optical Disc）等のコンピュータ読み取り可能な記録媒体に格納して配布し、そのプログラムをコンピュータに読み込んでインストールすることにより、前述の各機能を実現することができるコンピュータを構成してもよい。そして、各機能をＯＳ（Operating System）とアプリケーションとの分担、またはＯＳとアプリケーションとの協同により実現する場合等には、ＯＳ以外の部分のみを記録媒体に格納してもよい。
【００７９】
さらに、搬送波に各プログラムを重畳し、ネットワークを介して配信することも可能である。例えば、ネットワーク上の掲示板（BBS，Bulletin Board System）に当該プログラムを掲示し、ネットワークを介して当該プログラムを配信してもよい。そして、これらのプログラムを起動し、ＯＳの制御下で、他のアプリケーションプログラムと同様に実行することにより、前述の処理を実行できるように構成してもよい。
【産業上の利用可能性】
【００８０】
本発明は、空気調和機が設置された建屋での消費電力量に応じて空気調和機の動作を制限する空調システムに好適である。
【符号の説明】
【００８１】
１，２００１,３００１，４００１  空気調和機管理装置、２Ａ，２Ｂ，２００２Ａ，２００２Ｂ  空気調和機、３Ａ,３Ｂ，２００３Ａ，２００３Ｂ  操作機器、４  電力計測装置、１０１，２０１，３０１  ＣＰＵ、１０２，２０２，３０２  主記憶部、１０３，２０３，３０３  補助記憶部、１０４，２０４  通信インタフェース、１０９，２０９，３０９  バス、１１１  電力取得部、１１２  許容累積消費電力量算出部、１１３  累積消費電力量算出部、１１４  判定部、１１５  温度取得部、１１６，４１１６  温度幅特定部、１１７，３１１７  可変範囲設定部、１１８  範囲情報送信部、１１９  計時部、１３１  消費電力記憶部、１３２，２３２、３３２，３１３２  可変範囲記憶部、１３３  目標消費電力記憶部、１３４，４１３４  温度幅記憶部、１３５，３１３５  初期可変範囲記憶部、２００，２２００  制御部、２０５，３０４  短距離通信インタフェース、２０６  駆動部、２０７  センサインタフェース、２１１  制御情報生成部、２１２  可変範囲送信部、２１３  温度送信部、２１４，３１３  取得部、２２０  圧縮機、２３０  送風ファン、２３１  設定温度記憶部、２４０  温度計測部、３０５  表示部、３０６  操作部、３１１  表示制御部、３１２  操作受付部、３３１  画像記憶部、２１１８  単位温度幅設定部、２１１９  単位温度幅情報送信部、２２１２  設定温度更新部、２１３２  単位温度幅記憶部、２１３４  単位温度幅基準記憶部、２１３５  初期単位温度幅記憶部、２２３２  単位温度幅記憶部、３００６  サービスランク管理サーバ、３０５１  ルータ、３０５２  データ回線終端装置、３１１８  サービスランク取得部、４１１２  許容消費電力量算出部、４１１３  前日消費電力量算出部、Ａ１１  温度表示領域、Ａ１２  設定温度表示領域、Ａ１３，Ａ１４  領域、ＢＵ１，ＢＵ２  釦画像、ＧＡ２,ＧＡ５,ＧＡ１１，ＧＡ１２，ＧＡ１３  操作画像、ＩＮＷ  広域ネットワーク、ＬＮＷ  局所ネットワーク、ＳＬ１，ＳＬ２  オブジェクト画像
【図１】
2020197337.tif 000003
【図２】
2020197337.tif 000004
【図３】
2020197337.tif 000005
【図４】
2020197337.tif 000006
【図５】
2020197337.tif 000007
【図６】
2020197337.tif 000008
【図７】
2020197337.tif 000009
【図８】
2020197337.tif 000010
【図９】
2020197337.tif 000011
【図１０】
2020197337.tif 000012
【図１１】
2020197337.tif 000013
【図１２】
2020197337.tif 000014
【図１３】
2020197337.tif 000015
【図１４】
2020197337.tif 000016
【図１５】
2020197337.tif 000017
【図１６】
2020197337.tif 000018
【図１７】
2020197337.tif 000019
【図１８】
2020197337.tif 000020
【図１９】
2020197337.tif 000021
【図２０】
2020197337.tif 000022
【図２１】
2020197337.tif 000023
【図２２】
2020197337.tif 000024